(57)【要約】【課題】ユーザによって使用された検索語句、クリックされた検索結果を自動的に保存・整理してユーザに提供し、情報検索・情報整理の利便性を向上させるブックマーク・タグ設定装置を提供する。【解決手段】あるクライアント端末１０ｘから送信された検索語句を受信して検索用インデックスを検索するインデックス検索手段７４と、クライアント端末で表示された検索用インデックスにて選択されたＵＲＬと検索語句とを検索履歴データベースとして記憶する検索履歴データベース記憶部７０ｂと、検索履歴データベースには選択回数を記憶する項目を設け、当該選択回数が設定回数を超えたＵＲＬをブックマーク・データベースに記憶するブックマーク・データベース記憶部７０ｃと、記憶されているデータのリストを公開するブックマークリスト公開手段７８と、を備えたブックマーク・タグ設定装置。【選択図】図１
2008071259.tif 000002
【特許請求の範囲】
【請求項１】
通信回線を介して１つ以上のクライアント端末と接続されたブックマーク・タグ設定装置であって、
あるクライアント端末から送信された検索語句を受信して検索用インデックス記憶部に記憶されている検索語句が含まれている検索用インデックスを検索するインデックス検索手段と、
検索された前記検索用インデックスを前記クライアント端末にて表示するために返信する検索結果返信手段と、
前記クライアント端末で表示された前記検索用インデックスにて選択されたＵＲＬと前記検索語句とメタ情報とを検索履歴データベースとして記憶する検索履歴データベース記憶部と、
選択回数が設定回数を超えたＵＲＬを記憶するブックマーク・データベース記憶部と、
前記ＵＲＬの選択回数が設定回数を超えて前記ブックマーク・データベース記憶部に記憶する際に、当該ＵＲＬの検索に使用された検索語句をタグとしてブックマーク・データベースに記憶するタグ設定手段と、
前記ブックマーク・データベース記憶部に記憶されているデータのリストを公開するブックマークリスト公開手段と、
を備えたブックマーク・タグ設定装置。
【請求項２】
前記ＵＲＬの選択回数が設定回数を超えて前記ブックマーク・データベース記憶部に記憶されたことを表示する表示手段とをさらに備える請求項１に記載のブックマーク・タグ設定装置。
【請求項３】
前記表示手段がアイコンである請求項２に記載のブックマーク・タグ設定装置。
【請求項４】
前記タグ設定手段により設定されたタグに適合する広告を検索し表示する広告表示手段をさらに備える請求項２に記載のブックマーク・タグ設定装置。
【請求項５】
前記ブックマーク・データベースに記憶されているブックマーク・データを公開することの可否を判定する判定手段をさらに備える請求項１から４のいずれかに記載のブックマーク・タグ設定装置。
【請求項６】
ＵＲＬに対してブックマーク登録者数を検索するブックマーク登録者数検索手段と、をさらに備え、
前記検索履歴データベースにはＵＲＬの当該ブックマーク登録者数をさらに記憶する請求項１から５のいずれかに記載のブックマーク・タグ設定装置。
【請求項７】
通信回線を介して１つ以上のクライアント端末と接続されたコンピュータをブックマーク・タグ設定装置として機能させるプログラムであって、
あるクライアント端末から送信された検索語句を受信して検索用インデックス記憶部に記憶されている検索語句が含まれている検索用インデックスを検索するインデックス検索機能と、
検索された前記検索用インデックスを前記クライアント端末にて表示のために返信する検索結果返信機能と、
前記クライアント端末で表示された前記検索用インデックスにて選択されたＵＲＬと前記検索語句とを検索履歴データベースとして検索履歴データベース記憶部に記憶する検索履歴データベース記憶機能と、
選択回数が設定回数を超えたＵＲＬをブックマーク・データベース記憶部に記憶するブックマーク・データベース記憶機能と、
前記ＵＲＬの選択回数が設定回数を超えて前記ブックマーク・データベース記憶部に記憶する際に、当該ＵＲＬの検索に使用された検索語句をタグとしてブックマーク・データベースに記憶するタグ設定機能と、
前記ブックマーク・データベース記憶部に記憶されているデータのリストを公開するブックマークリスト公開機能と、
を実現させるためのプログラム。
【請求項８】
前記ＵＲＬの選択回数が設定回数を超えて前記ブックマーク・データベース記憶部に記憶されたことを表示する表示機能とをさらに実現させる請求項７に記載のプログラム。
【請求項９】
前記表示機能がアイコンによる表示である請求項８に記載のプログラム。
【請求項１０】
前記タグ設定機能により設定されたタグに適合する広告を検索し表示する広告表示機能をさらに実現させる請求項８に記載のプログラム。
【請求項１１】
前記ブックマーク・データベースに記憶されているブックマーク・データを公開することの可否を判定する判定機能をさらに実現させる請求項７から１０のいずれかに記載のプログラム。
【請求項１２】
ＵＲＬに対してブックマーク登録者数を検索するブックマーク登録者数検索機能と、をさらに有し、
前記検索履歴データベースにはＵＲＬの当該ブックマーク登録者数をさらに実現させる請求項７から１１のいずれかに記載のプログラム。
【請求項１３】
通信回線を介して１つ以上のクライアント端末と接続されたサーバに用いられるブックマーク・タグ設定方法であって、
あるクライアント端末から送信された検索語句を受信して検索用インデックス記憶部に記憶されている検索語句が含まれている検索用インデックスを検索するインデックス検索ステップと、
検索された前記検索用インデックスを前記クライアント端末にて表示のために返信する検索結果返信ステップと、
前記クライアント端末で表示された前記検索用インデックスにて選択されたＵＲＬと前記検索語句とを検索履歴データベースとして検索履歴データベース記憶部に記憶する検索履歴データベース記憶ステップと、
選択回数が設定回数を超えたＵＲＬをブックマーク・データベースのブックマーク・データベース記憶部に記憶するブックマーク・データベース記憶ステップと、
前記ＵＲＬの選択回数が設定回数を超えて前記ブックマーク・データベース記憶部に記憶されたことを表示する表示ステップと、
前記ブックマーク・データベース記憶部に記憶されているデータのリストを公開するブックマークリスト公開ステップと、
を有するブックマーク・タグ設定方法。
【発明の詳細な説明】
【技術分野】
【０００１】
本発明は、ブックマーク・タグ設定装置、その方法、及びそのプログラムに関する。
【背景技術】
【０００２】
ブックマークとは、インターネットのＷｅｂブラウザにおいて、ユーザが頻繁にアクセスするＷｅｂページのＵＲＬ（Ｕｎｉｆｏｒｍ  Ｒｅｓｏｕｒｃｅ  Ｌｏｃａｔｏｒ）を登録しておく機能のことである。別なシステムでは「お気に入り」として運用している場合も有る。
【０００３】
従来技術としては、登録会員がするＷｅｂページの検索閲覧行動に基づいて、個々の会員向けに特化した専用のブックマークを自動生成して提示できるようにしたＷＷＷサーバに関する提案がなされている（特許文献１参照）。
【０００４】
また、各個人がウェブサーバ上で気に入ったウェブサイトにそのウェブサイトに適合したタグを設定して保存し、それを他のユーザに公開するソーシャルブックマークサービスが行われている（非特許文献１、２参照）。このサービスでは、ブックマークするサイトのタイトル、ＵＲＬのみならず、そのサイトについてのコメントを付与したり、任意のタグを設定し、タグを設定した本人および他者が、タグに関連付けられてブックマークされたページを確認することが出来る。
【特許文献１】特開２００２−９９５６８号公報
【非特許文献１】ｈｔｔｐ：／／ｄｅｌ．ｉｃｉｏ．ｕｓ／
【非特許文献２】ｈｔｔｐ：／／ｂ．ｈａｔｅｎａ．ｎｅ．ｊｐ／
【発明の開示】
【発明が解決しようとする課題】
【０００５】
しかし、従来の方法では、ウェブページを探す場合、検索エンジンにクエリーを入力し、検索結果を参照して行われることが一般的である。それにも拘らず、ブックマーク時に設定するタグは、各ユーザが各ウェブページに合ったタグを考え、入力作業を経て設定しなければならなかった。また、情報を探し出すのには役立つが、見つけ出した情報を管理する便利な方法がない。
【０００６】
本発明は、ユーザによって使用された検索語句、クリックされた検索結果、時間等の検索行為を自動的に保存・整理してユーザに提供し、情報検索・情報整理の利便性を向上させるブックマーク・タグ設定装置、その方法、及びそのプログラムを提供することを目的とする。
【課題を解決するための手段】
【０００７】
本発明者らは、ユーザの検索行為（使用された検索語句、クリックされた検索結果、時間など）を自動的に保存・整理し、ユーザに再提供することの効用を見出し、本発明を完成するに至った。
【０００８】
（１）  通信回線を介して１つ以上のクライアント端末と接続されたブックマーク・タグ設定装置であって、あるクライアント端末から送信された検索語句を受信して検索用インデックス記憶部に記憶されている検索語句が含まれている検索用インデックスを検索するインデックス検索手段と、検索された前記検索用インデックスを前記クライアント端末にて表示するために返信する検索結果返信手段と、前記クライアント端末で表示された前記検索用インデックスにて選択されたＵＲＬと前記検索語句とメタ情報とを検索履歴データベースとして記憶する検索履歴データベース記憶部と、前記ＵＲＬの選択回数が設定回数を超えて前記ブックマーク・データベース記憶部に記憶する際に、当該ＵＲＬの検索に使用された検索語句をタグとしてブックマーク・データベースに記憶するタグ設定手段と、選択回数が設定回数を超えたＵＲＬを記憶するブックマーク・データベース記憶部と、前記ブックマーク・データベース記憶部に記憶されているデータのリストを公開するブックマークリスト公開手段と、を備えたブックマーク・タグ設定装置。
【０００９】
（１）の発明によれば、本発明のブックマーク・タグ設定装置は通信回線を介して１つ以上のクライアント端末と接続されている。あるクライアント端末から送信された検索語句を受信して検索用インデックス記憶部に記憶されている検索語句が含まれている検索用インデックスをインデックス検索手段により検索する。検索された検索用インデックスを当該クライアント端末にて表示のために検索結果返信手段により返信する。当該クライアント端末で表示された検索用インデックスにて選択されたＵＲＬと用いた検索語句とメタ情報とを検索履歴データベースとして検索履歴データベース記憶部に記憶する。検索履歴データベースには選択回数を記憶する項目を設け、当該選択回数が設定回数を超えたＵＲＬをブックマーク・データベースとしてブックマーク・データベース記憶部に記憶する。ブックマーク・データベース記憶部に記憶する際に、当該ＵＲＬの検索に使用された検索語句をタグとしてブックマーク・データベースにタグ設定手段により記憶する。記憶されたブックマーク・データベースのデータのリストをブックマークリスト公開手段により公開する。
【００１０】
このようにしてクライアント端末を使用するユーザの検索行為を自動的に記憶・整理し、ユーザに再提供することができる。すなわち、ユーザがＵＲＬを選択（クリック）した回数を記憶し、設定回数を超えて選択されたＵＲＬをブックマーク・データベースに記憶することで、ユーザ自身が選択を良くするＵＲＬを整理することができる。整理されるのでユーザ自身が後で検索するのに便利である。また、整理したブックマークをブックマークリスト公開手段により公開されるので、他のユーザはよくアクセスされるＵＲＬがどこか分る。その結果、他のユーザにとっても検索がやり易くなる。
【００１１】
また、本発明の検索履歴データベースにメタ情報も同時に記憶される。ここでメタ情報とは、メタデータとも呼ばれることがあり、そのデータに関連する情報のことである。例としては、サイトタイトル、メタディスクリプション等がある。メタ情報も同時に記憶されることにより、ＵＲＬがどのようなサイトであるかが分かり易くなる。
【００１２】
さらに、ＵＲＬの選択回数が設定回数を超えてブックマーク・データベース記憶部に記憶されたことを表示する表示手段をさらに備える。したがって、ユーザは表示手段を見ることによりブックマーク・データベース記憶部に記憶されたことがわかる。したがって、ＵＲＬを今後も使用する場合にはユーザ自身が登録するが、選択回数が設定回数を超えた場合は自動的に登録されかつ登録されたことが表示されるので混乱が少ない。
【００１３】
また、ＵＲＬの検索に使用された検索語句をタグとして記憶するので、後でタグを用いてＵＲＬの検索をする場合に便利である。また、ブックマークリスト公開手段により公開されて、他のユーザが検索する場合にタグを用いるが、その際に検索のときに使用された検索語句が使用されているので、検索に便利である。
【００１４】
（２）  前記ＵＲＬの選択回数が設定回数を超えて前記ブックマーク・データベース記憶部に記憶されたことを表示する表示手段とをさらに備える（１）に記載のブックマーク・タグ設定装置。
【００１５】
（２）に記載の発明は、（１）に記載の発明に加えて、ＵＲＬの選択回数が設定回数を超えてブックマーク・データベース記憶部に記憶されたことを表示手段により表示する。ブックマーク・データベース記憶部に記憶されたことが別途表示されるので、ユーザにとって特別に良く使われるブックマークであることが一目で分かる。
【００１６】
（３）  前記表示手段がアイコンである（２）に記載のブックマーク・タグ設定装置。
【００１７】
（３）に記載の発明は、（２）に記載の発明の表示手段がアイコンであることを特徴とする。ここでアイコンとは、コンピュータに与える指示・命令や文書・ファイルなどを分かりやすく記号化した図形、絵文字であり、このアイコンをクリックすることにより、ＵＲＬの選択回数が設定回数を超えて前記ブックマーク・データベース記憶部に記憶された内容に容易にアクセスできる利点がある。
【００１８】
（４）  前記タグ設定手段により設定されたタグに適合する広告を検索し表示する広告表示手段をさらに備える（２）に記載のブックマーク・タグ設定装置。
【００１９】
（４）に記載の発明は、（２）に記載の発明に、タグ設定手段により設定されたタグに適合する広告を検索し表示する広告表示手段をさらに備える。広告表示手段によりブックマークしたページの属性を表す情報として設定したタグを基に広告を検索することで、ブックマークしたページに関連したよりユーザに対する訴求力の高い広告を表示できる。適切な広告がなされることにより、全体のイメージが向上する。また、適切な広告が見られるので、購買意欲が向上し経済の活性化に貢献する。
【００２０】
（５）  前記ブックマーク・データベースに記憶されているブックマーク・データを公開することの可否を判定する判定手段をさらに備える（１）から（４）のいずれかに記載のブックマーク・タグ設定装置。
【００２１】
（５）に記載の発明は、上記の発明に加えて、記憶されているブックマーク・データを公開することの可否を判定する判定手段をさらに備える。ブックマーク・データの登録者が公開を希望しない場合も設定することができる。
【００２２】
（６）  ＵＲＬに対してブックマーク登録者数を検索するブックマーク登録者数検索手段と、をさらに備え、前記検索履歴データベースにはＵＲＬの当該ブックマーク登録者数をさらに記憶する（１）から（５）のいずれかに記載のブックマーク・タグ設定装置。
【００２３】
（６）に記載の発明は、上記の発明に加えて、ＵＲＬに対してブックマーク登録者数を検索するブックマーク登録者数検索手段と、をさらに備え、前記検索履歴データベースにはＵＲＬの当該ブックマーク登録者数をさらに記憶する。したがって、ＵＲＬに対してどの程度の登録者がいるか知ることができる。したがって、当該サイトが人気のサイトであるか否かが判明する。この結果、各ＵＲＬの登録者数を検索することにより、市場調査をすることができ、世の中の動向を知ることができる。
【００２４】
（７）  通信回線を介して１つ以上のクライアント端末と接続されたコンピュータをブックマーク・タグ設定装置として機能させるプログラムであって、あるクライアント端末から送信された検索語句を受信して検索用インデックス記憶部に記憶されている検索語句が含まれている検索用インデックスを検索するインデックス検索機能と、検索された前記検索用インデックスを前記クライアント端末にて表示のために返信する検索結果返信機能と、前記クライアント端末で表示された前記検索用インデックスにて選択されたＵＲＬと前記検索語句とを検索履歴データベースとして検索履歴データベース記憶部に記憶する検索履歴データベース記憶機能と、選択回数が設定回数を超えたＵＲＬをブックマーク・データベース記憶部に記憶するブックマーク・データベース記憶機能と、前記ＵＲＬの選択回数が設定回数を超えて前記ブックマーク・データベース記憶部に記憶する際に、当該ＵＲＬの検索に使用された検索語句をタグとしてブックマーク・データベースに記憶するタグ設定機能と、前記ブックマーク・データベース記憶部に記憶されているデータのリストを公開するブックマークリスト公開機能と、を実現させるためのプログラム。
【００２５】
（７）の発明は、プログラムに関するものである。これらのプログラムをコンピュータに読み込ませて動作させることにより（１）の発明と同様な作用効果を得ることができる。
【００２６】
（８）  前記ＵＲＬの選択回数が設定回数を超えて前記ブックマーク・データベース記憶部に記憶されたことを表示する表示機能とをさらに実現させる（７）に記載のプログラム。
【００２７】
（８）の発明は、プログラムに関するものである。これらのプログラムをコンピュータに読み込ませて動作させることにより（２）の発明と同様な作用効果を得ることができる。
【００２８】
（９）  前記表示機能がアイコンによる表示である（８）に記載のプログラム。
【００２９】
（９）の発明は、プログラムに関するものである。これらのプログラムをコンピュータに読み込ませて動作させることにより（３）の発明と同様な作用効果を得ることができる。
【００３０】
（１０）  前記ＵＲＬの選択回数が設定回数を超えて前記ブックマーク・データベース記憶部に記憶する際に、当該ＵＲＬの検索に使用された検索語句をタグとしてブックマーク・データベースに記憶するタグ設定機能とをさらに実現させる（８）に記載のプログラム。
【００３１】
（１０）の発明は、プログラムに関するものである。これらのプログラムをコンピュータに読み込ませて動作させることにより（３）の発明と同様な作用効果を得ることができる。
【００３２】
（１１）  前記タグ設定機能により設定されたタグに適合する広告を検索し表示する広告表示機能をさらに実現させる（７）から（１０）のいずれかに記載のプログラム。
【００３３】
（１１）の発明は、プログラムに関するものである。これらのプログラムをコンピュータに読み込ませて動作させることにより（４）の発明と同様な作用効果を得ることができる。
【００３４】
（１２）  前記ブックマーク・データベースに記憶されているブックマーク・データを公開することの可否を判定する判定機能をさらに実現させる（７）から（１１）のいずれかに記載のプログラム。
【００３５】
（１２）の発明は、プログラムに関するものである。これらのプログラムをコンピュータに読み込ませて動作させることにより（５）の発明と同様な作用効果を得ることができる。
【００３６】
（１３）  通信回線を介して１つ以上のクライアント端末と接続されたサーバに用いられるブックマーク・タグ設定方法であって、あるクライアント端末から送信された検索語句を受信して検索用インデックス記憶部に記憶されている検索語句が含まれている検索用インデックスを検索するインデックス検索ステップと、検索された前記検索用インデックスを前記クライアント端末にて表示のために返信する検索インデックス返信ステップと、
前記クライアント端末で表示された前記検索用インデックスにて選択されたＵＲＬと前記検索語句とを検索履歴データベースとして検索履歴データベース記憶部に記憶する検索履歴データベース記憶ステップと、前記検索履歴データベースには選択回数を記憶する項目を設け、当該選択回数が設定回数を超えたＵＲＬをブックマーク・データベースにブックマーク・データベース記憶部に記憶するブックマーク・データベース記憶ステップと、前記ブックマーク・データベースを公開するブックマークリスト公開ステップと、を有するブックマーク・タグ設定方法。
【００３７】
（１３）の発明はブックマーク・タグ設定方法に関するものである。これらの方法を使うことにより、（１）の説明と同様の作用効果を得ることができる。
【発明の効果】
【００３８】
本発明によれば、クライアント端末を使用するユーザの検索行為を自動的に記憶・整理し、ユーザに再提供することができる。すなわち、ユーザがＵＲＬを選択（クリック）した回数を記憶し、設定回数を超えて選択されたＵＲＬをブックマーク・データベースに記憶することで、ユーザ自身が選択回数の多いＵＲＬを整理することができる。整理されたＵＲＬをユーザ自身が後で検索するのに便利である。また、ブックマーク・データベース記憶部に記憶されている、整理したデータのリストがブックマークリスト公開手段により公開されるので、他のユーザはよくアクセスされるＵＲＬがどこか分る。その結果、他のユーザにとっても検索がやり易くなる。
【発明を実施するための最良の形態】
【００３９】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００４０】
［第１の実施例］
図１は、本発明の好適な一実施形態であるブックマーク・タグ設定装置の概略を示した図である。図２は、本発明のブックマーク・タグ設定装置の動作のフローを示す図である。図３は、選択ＵＲＬ（クリックＵＲＬ）に対して使用された検索語句が検索履歴データベースに記憶された例であり、図４は、検索語句に対して選択（クリック）されたＵＲＬが検索履歴データベースに記憶された例である。図５は、ユーザが検索履歴データベースにアクセスした例である。図６は、ブックマーク・データベースに記憶されている情報の一例である。図７は、自己のブックマーク・データベースに記憶された情報を検索した一表示例である。図８に、公開されたブックマーク・データベースの表示例を示す。以下本発明について、図１から図８を参照して説明をする。
【００４１】
図１の実施形態においてブックマーク・タグ設定装置７０は、１つ以上のクライアント端末（１０ａ・・・１０ｘ・・・１０ｙ、以下１０ｘという）と相互に通信回線５０により接続されている。クライアント端末１０ｘはパーソナルコンピュータだけでなく携帯電話機等であってもよい。
【００４２】
ブックマーク・タグ設定装置７０には、通信回線５０を介してクライアント端末１０ｘと送受信を行う送受信部７２と、データベース・アクセス部９０とが含まれる。データベース・アクセス部９０には、検索用インデックス記憶部７０ａと、クライアント端末１０ｘで表示された検索用インデックスにて選択されたＵＲＬと検索語句とを検索履歴データベースとして記憶する検索履歴データベース記憶部７０ｂと、選択回数が設定回数を超えたＵＲＬをブックマーク・データベースに記憶するブックマーク・データベース記憶部７０ｃとが接続されている。
【００４３】
さらに、ブックマーク・タグ設定装置７０には、クライアント端末１０ｘから送信された検索語句を受信して検索用インデックス記憶部７０ａに記憶されている検索語句が含まれている検索用インデックスを検索するインデックス検索手段７４と、検索された検索用インデックスをクライアント端末１０ｘにて表示のために返信する検索結果返信手段７６と、ブックマーク・データベース記憶部に記憶されているデータのリストを公開するブックマークリスト公開手段７８と、ＵＲＬの選択回数が設定回数を超えてブックマーク・データベース記憶部７０ｃに記憶されたことを表示する表示手段８２と、ＵＲＬの選択回数が設定回数を超えてブックマーク・データベース記憶部７０ｃに記憶する際に、当該ＵＲＬの検索に使用された検索語句をタグとしてブックマーク・データベースに記憶するタグ設定手段８４と、ブックマーク・データベースに記憶されているブックマーク・データを公開することの可否を判定する判定手段８９とを有する。
【００４４】
図２は、本発明のブックマーク・タグ設定装置７０の動作のフローを示す図であり、以下図２に従って説明する。ユーザがあるクライアント端末１０ｘに検索語句を入力してブックマーク・タグ設定装置７０に通信回線５０を介してアクセスすると、検索用インデックス記憶部７０ａに記憶されている検索語句が含まれている検索用インデックスがインデックス検索手段７４により検索される（Ｓ１１０）。
【００４５】
検索された検索用インデックスは、検索結果返信手段７６によりクライアント端末１０ｘに返信され表示される（Ｓ１２０）。検索はリレーショナルデータベースを用いたシステムではデータベースにクエリーによる呼び出しをし、クエリーに合致する検索用インデックスの検索結果のリストをユーザに返信する。返信されたクライアント端末１０ｘに表示された検索用インデックスを見て、ユーザがＵＲＬを選択する。選択されたＵＲＬと検索語句とを検索履歴データベースとして検索履歴データベース記憶部７０ｂに記憶する（Ｓ１３０）。
【００４６】
図３は、選択ＵＲＬ（クリックＵＲＬ）に対して使用された検索語句が検索履歴データベースに記憶された例であり、図４は、検索語句に対して選択（クリック）されたＵＲＬが検索履歴データベースに記憶された例である。これらの２通りの記憶方法を適用することにより、ユーザからの検索に対してアクセス速度を早くすることができる。また、図３の例では、クリックＵＲＬ、サイトタイトル、最新クリック日時、総クリック回数、検索語句がＵＲＬ毎に記憶される。特に検索語句は「○○○」の場合もあれば「ＹＹＹ」の場合もあるのでいろいろな検索語句でされた場合を記憶している。一方、図４では、検索語句に対して検索語句使用回数とクリックされたＵＲＬが記憶されている。
【００４７】
図５は、ユーザが検索履歴データベースにアクセスした例である。図５のように、ユーザが検索履歴のボタンを選択すると、「検索サービス一覧―Ｍｙブックマーク」の検索履歴が表示される。検索履歴には、図５のようにサイトのタイトル（ここでは「Ｓｉｔｅ  Ｔｉｔｌｅ  Ｇ」）とこれまでの閲覧回数、日付、ＵＲＬ、キーワード履歴とが表示される。これまでの閲覧回数は、クリックした回数が、後述のＣＰＵ１（１０１０）と関連するプログラムにより自動的にカウントされ、設定回数以上クリックすると、自動的にブックマーク・データベース記憶部７０ｃに記憶される。また、タグ設定手段８４によりクリックしたサイト／ＵＲＬに対して、使用した検索語句が紐付いてタグとしてブックマーク・データベース記憶部７０ｃに記憶されており、これがキーワード履歴として表示される。
【００４８】
図５の例では、「１．Ｓｉｔｅ  Ｔｉｔｌｅ  Ｇ」では表示のＵＲＬがユーザ自身と他のユーザのブックマークに登録されている場合であり、「２．Ｓｉｔｅ  Ｔｉｔｌｅ  Ｈ」では、表示のＵＲＬがユーザ自身のブックマークに登録されている場合であり、「３．Ｓｉｔｅ  Ｔｉｔｌｅ  Ｉ」では、まだ表示のＵＲＬが誰のブックマークにも登録されていない場合である。「３．Ｓｉｔｅ  Ｔｉｔｌｅ  Ｉ」の所で、「ブックマークを登録する」はアイコンになっておりこの部分をクリックすると表示されているＵＲＬがユーザ自身のブックマークに登録される。
【００４９】
検索履歴データベース記憶部７０ｂに記憶されると、次に選択回数（クリック回数）が設定回数を超えたか否かを調査する（Ｓ１４０）。超えていない場合は図２の丸印の１に戻る。選択回数（クリック回数）が設定回数を超えた場合は、ＵＲＬをブックマーク・データベース記憶部７０ｃに記憶する（Ｓ１５０）。記憶に際しては、当該ＵＲＬの検索に使用された検索語句をタグとしてタグ設定手段８４により設定されて当該ＵＲＬに関連付けてブックマーク・データベース記憶部７０ｃに記憶される（Ｓ１５０）。設定回数はユーザが任意に設定でき、例えば１０回と設定してあれば、ＵＲＬをクリックした回数が１０回以上になった場合に自動で当該ＵＲＬをブックマーク・データベース記憶部７０ｃに記憶される。
【００５０】
図６は、ブックマーク・データベースに記憶されている情報の一例である。この例では、ブックマークＵＲＬ、サイトタイトル、自己がクリックした回数、自己のタグ（自己が検索に用いた検索語句が登録されている）、他人タグ、総ブックマーク者数が記憶されている。ここで、他人タグとは、自己以外の人が当該ブックマークＵＲＬに対して設定したタグである。
【００５１】
図７は、自己のブックマーク・データベースに記憶された情報を検索した一表示例である。検索欄に「ポータブルプレイヤー」を入力して検索ボタンをクリックすると、「×××××」さんのブックマーク内を検索した結果が表示される。ここで、登録されているＵＲＬについては、検索したＵＲＬの横に登録したことを示す星印のマークが添付される。また、検索結果ごとに当該ブックマーク登録者数を表示する。
【００５２】
ブックマーク・データベース記憶部７０ｃに記憶されると、次に当該情報を公開してよいか否かが判定手段８９により判定される（Ｓ１７０）。判定は、公開するか否かはユーザの希望により決定する。初期設定で全てのブックマークを公開または非公開にすることもできるし、アクセスできる範囲をＩＤ等で制限することもできる。
【００５３】
公開が可の場合は、ブックマーク・データベース記憶部７０ｃに記憶されているデータのリストをブックマークリスト公開手段７８により公開する（Ｓ１８０）。図８に、公開されたブックマーク・データリストの表示例を示す。図７の例では、「みんなのブックマーク」をクリックすると公開されているブックマーク・データリストが表示される。△△△さんのブックマークが最近追加されたものの順に表示されている。
【００５４】
以上のようにして、クライアント端末１０ｘを使用するユーザの検索行為を自動的に記憶・整理し、ユーザに再提供することができる。すなわち、ユーザがＵＲＬを選択（クリック）した回数を記憶し、設定回数を超えて選択されたＵＲＬをブックマーク・データベースに記憶することで、ユーザ自身が選択を良くするＵＲＬを整理することができる。整理されているのでユーザ自身が後で検索するのに便利である。また、整理したブックマーク・データリストがブックマークリスト公開手段により公開されるので、他のユーザはよくアクセスされるＵＲＬがどこか分る。その結果、他のユーザにとっても検索がやり易くなる。
【００５５】
［第２の実施例］
第２の実施例は、第１の実施例に市場調査と広告的要素を加えたことを特徴とする。図９は、本発明の好適な別の実施形態であるブックマーク・タグ設定装置の概略を示した図である。図１０は、本発明の別の実施形態であるブックマーク・タグ設定装置の動作のフローを示す図である。図１１は、ブックマーク・データベースにキーワードマッチ広告の表示例を示す。以下本発明について、図９から図１１を参照して説明をする。
【００５６】
図９の実施形態においてブックマーク・タグ設定装置７１は、第１の実施例にＵＲＬに対してブックマーク登録者数を検索するブックマーク登録者検索手段８６と、広告データベース記憶部７０ｄと、タグ設定手段８４により設定されたタグに適合する広告を検索し表示する広告表示手段８８とをさらに有する点が異なる。
【００５７】
ブックマーク・タグ設定装置７１の動作について、図１０を参照して説明をする。図１０のフローチャートはタグ‐広告検索（Ｓ１６０）を追加した点のみが図２のフローチャートと異なる。上記で説明したように、当該ＵＲＬの検索に使用された検索語句をタグとしてタグ設定手段８４により設定されて当該ＵＲＬに関連付けてブックマーク・データベース記憶部７０ｃに記憶される（Ｓ１５０）。記憶した後、設定されたタグに適合する広告が広告データベース記憶部７０ｄに記憶されている広告データベースより検索される。検索された広告は広告表示手段８８により表示される。
【００５８】
図１１は、ブックマーク・データベースにキーワードマッチ広告の表示例である。図１１に示すように○○○さんのブックマークを検索すると、「検索履歴が設定回数を超えたのでブックマークが登録されました」と表示されると同時に、設定されたタグのキーワードマッチした広告、すなわち、設定されたタグに適合する広告が広告データベース記憶部７０ｄに記憶されている広告データベースより検索された広告が表示される。
【００５９】
広告表示手段によりブックマークしたページの属性を表す情報として設定したタグを基に広告を検索することで、ブックマークしたページに関連したよりユーザに対する訴求力の高い広告を表示できる。適切な広告がなされることにより、全体のイメージが向上する。また、適切な広告が見られるので、購買意欲が向上し経済の活性化に貢献する。
【００６０】
また、図１１に示すように、ＵＲＬに対してブックマーク登録者検索手段８６によりブックマーク登録者数を検索された内容が、「２０人がブックマーク」のように表示される。この表示を見て人気の有るサイトかどうかの判断ができる。また、市場調査のツールとしても使用することができる。
【００６１】
［ブックマーク・タグ設定装置のハードウェア構成］
図１２は、図１で説明したブックマーク・タグ設定装置７０のハードウェア構成の一例を示す図である。ブックマーク・タグ設定装置７０は、コンピュータ１００を構成するＣＰＵ（Ｃｅｎｔｒａｌ  Ｐｒｏｃｅｓｓｉｎｇ  Ｕｎｉｔ）１０１０（マルチプロセッサ構成ではＣＰＵ１０１２など複数のＣＰＵが追加されてもよい）、バスライン１００５、通信Ｉ／Ｆ１０４０、メインメモリ１０５０、ＢＩＯＳ（Ｂａｓｉｃ  Ｉｎｐｕｔ／Ｏｕｔｐｕｔ  Ｓｙｓｔｅｍ）１０６０、ＵＳＢポート１０９０、Ｉ／Ｏコントローラ１０７０、ならびにキーボードおよびマウス１１００等の入力手段や表示装置１０２２を備える。
【００６２】
Ｉ／Ｏコントローラ１０７０には、テープドライブ１０７２、ハードディスク１０７４、光ディスクドライブ１０７６、半導体メモリ１０７８、等の記憶手段を接続することができる。
【００６３】
ＢＩＯＳ１０６０は、ブックマーク・タグ設定装置７０の起動時にＣＰＵ１０１０が実行するブートプログラムや、ブックマーク・タグ設定装置７０のハードウェアに依存するプログラム等を格納する。
【００６４】
記憶部を構成するハードディスク１０７４は、ブックマーク・タグ設定装置７０として機能するための各種プログラムおよび本発明の機能を実行するプログラムを記憶しており、さらに必要に応じて各種データベースを構成可能である。
【００６５】
光ディスクドライブ１０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１０７７を使用する。光ディスク１０７７から光ディスクドライブ１０７６によりプログラムまたはデータを読み取り、Ｉ／Ｏコントローラ１０７０を介してメインメモリ１０５０またはハードディスク１０７４に提供することもできる。
【００６６】
ブックマーク・タグ設定装置７０に提供されるプログラムは、ハードディスク１０７４、光ディスク１０７７、またはメモリーカード等の記録媒体に格納されて提供される。このプログラムは、Ｉ／Ｏコントローラ１０７０を介して、記録媒体から読み出され、または通信Ｉ／Ｆ１０４０を介してダウンロードされることによって、ブックマーク・タグ設定装置７０にインストールされ実行されてもよい。
【００６７】
前述のプログラムは、内部または外部の記憶媒体に格納されてもよい。ここで、検索用インデックス記憶部７０ａ等を構成する記憶媒体としては、ハードディスク１０７４、光ディスク１０７７、またはメモリーカードの他に、ＭＤ等の光磁気記録媒体、テープ媒体を用いることができる。また、専用通信回線やインターネットに接続されたサーバシステムに設けたハードディスク１０７４または光ディスクライブラリ等の記憶装置を記録媒体として使用し、プログラムを通信回線を介してブックマーク・タグ設定装置７０に提供してもよい。
【００６８】
ここで、表示装置１０２２は、ユーザにデータの入力を受け付ける画面を表示したり、コンピュータ１００による演算処理結果を表示したりするものであり、ブラウン管表示装置（ＣＲＴ）、液晶表示装置（ＬＣＤ）等のディスプレイ装置を含む。
【００６９】
ここで、入力手段は、ユーザによる入力の受付を行うものであり、キーボードおよびマウス１１００等により構成してよい。
【００７０】
また、通信Ｉ／Ｆ１０４０は、コンピュータ１００を専用ネットワークまたは公共ネットワークを介して携帯通信端末１０と接続できるようにするためのネットワーク・アダプタである。通信Ｉ／Ｆ１０４０は、モデム、ケーブル・モデムおよびイーサネット（登録商標）・アダプタを含んでよい。
【００７１】
以上の例は、ブックマーク・タグ設定装置７０について主に説明したが、コンピュータに、プログラムをインストールして、そのコンピュータをブックマーク・タグ設定装置７０として動作させることにより上記で説明した機能を実現することができる。したがって、本発明において一実施形態として説明したブックマーク・タグ設定装置７０は、その方法、およびそれらのプログラムによっても実現可能である。
【００７２】
以上、本発明を実施形態、および実施例を用いて説明したが、本発明の技術的範囲は上記実施形態に記載の範囲に限定されない。上記実施形態に、多様な変更または改良を加えることが可能である。また、そのような変更または改良を加えた形態も本発明の技術的範囲に含まれ得ることが、特許請求の範囲の記載から明らかである。例えば、通信回線は公衆回線を利用した有線通信でも無線通信にても良いし専用の通信回線にても同様に実現することができる。また、記憶部は１つのハードウェアとし、パーテーションを区切ることで分けることもできる。
【図面の簡単な説明】
【００７３】
【図１】本発明の好適な一実施形態であるブックマーク・タグ設定装置の概略を示す図である。
【図２】本発明のブックマーク・タグ設定装置の動作のフローを示す図である。
【図３】選択ＵＲＬ（クリックＵＲＬ）に対して使用された検索語句が検索履歴データベースに記憶された例である。
【図４】検索語句に対して選択（クリック）されたＵＲＬが検索履歴データベースに記憶された例である。
【図５】ユーザが検索履歴データベースにアクセスした例である。
【図６】ブックマーク・データベースに記憶されている情報の一例である。
【図７】自己のブックマーク・データベースに記憶された情報を検索した一表示例である。
【図８】公開されたブックマーク・データリストの表示例である。
【図９】本発明の好適な別の実施形態であるブックマーク・タグ設定装置の概略を示した図である。
【図１０】本発明の別の実施形態であるブックマーク・タグ設定装置の動作のフローを示す図である。
【図１１】ブックマーク・データベースにキーワードマッチ広告の表示例である。
【図１２】ブックマーク・タグ設定装置７０のハードウェア構成の一例を示す図である。
【符号の説明】
【００７４】
１０ｘ  クライアント端末
５０    通信回線
７０    ブックマーク・タグ設定装置
７０ａ  検索用インデックス記憶部
７０ｂ  検索履歴データベース記憶部
７０ｃ  ブックマーク・データベース記憶部
７０ｄ  広告データベース記憶部
７２    送受信部
７４    インデックス検索手段
７６    検索結果返信手段
７８    ブックマークリスト公開手段
８２    表示手段
８４    タグ設定手段
８６    ブックマーク登録者検索手段
８８    広告表示手段
８９    判定手段
９０    データベース・アクセス部
【図１】
2008071259.tif 000003
【図２】
2008071259.tif 000004
【図３】
2008071259.tif 000005
【図４】
2008071259.tif 000006
【図５】
2008071259.tif 000007
【図６】
2008071259.tif 000008
【図７】
2008071259.tif 000009
【図８】
2008071259.tif 000010
【図９】
2008071259.tif 000011
【図１０】
2008071259.tif 000012
【図１１】
2008071259.tif 000013
【図１２】
2008071259.tif 000014